(57)【要約】【課題】一本の電柱に複数個のヒューズホルダが取り付けられている状態であっても異常なヒューズホルダの特定を簡単に行うことができるようにしたヒューズホルダ及びヒューズを提供することである。【解決手段】それぞれ電線２に接続されるヒューズ取付部３が互いに離間して配設されたヒューズホルダ本体１と、前記ヒューズ取付部３の間に着脱自在に取り付けられて互いの前記電線２間を接続するヒューズ６と、互いに離間した前記ヒューズ取付部３の間に前記ヒューズ６と並列に接続された表示管１０及び抵抗体１１との直列回路と、前記ヒューズホルダ本体１と前記ヒューズ６と前記直列回路１２とを覆うと共に前記表示管１０を外部から視認可能な表示窓１５を備えたヒューズホルダカバー１３とよりなるヒューズホルダである。【選択図】図２
2007311086.tif 000002
【特許請求の範囲】
【請求項１】
それぞれ電線に接続されるヒューズ取付部が互いに離間して配設されたヒューズホルダ本体と、前記ヒューズ取付部の間に着脱自在に取り付けられて互いの前記電線間を接続するヒューズと、互いに離間した前記ヒューズ取付部の間に前記ヒューズと並列に接続された表示管及び抵抗体との直列回路と、前記ヒューズホルダ本体と前記ヒューズと前記直列回路とを覆うと共に前記表示管を外部から視認可能な表示窓を備えたヒューズホルダカバーとよりなることを特徴とするヒューズホルダ。
【請求項２】
前記表示管はネオン管であることを特徴とする請求項１記載のヒューズホルダ。
【請求項３】
前記表示管はＬＥＤであることを特徴とする請求項１記載のヒューズホルダ。
【請求項４】
それぞれ電線に接続されるヒューズ取付部が互いに離間して配設されたヒューズホルダ本体と、前記ヒューズ取付部の間に着脱自在に取り付けられて互いの前記電線間を溶断部で接続するとともに表示管及び抵抗体との直列回路が前記溶断部と並列に接続されたヒューズと、前記ヒューズホルダ本体と前記ヒューズとを覆うと共に前記表示管を外部から視認可能な表示窓を備えたヒューズホルダカバーとよりなることを特徴とするヒューズホルダ。
【請求項５】
離間したヒューズ取付部の間に着脱自在に取り付けられて互いの電線間を溶断部で接続するとともに表示管及び抵抗体との直列回路が前記溶断部と並列に接続されてなることを特徴とするヒューズ。
【発明の詳細な説明】
【技術分野】
【０００１】
本発明は、各需要家に電力を供給する屋外配線の電柱等に取り付けられて引込線を保護している密閉型のヒューズホルダ及びヒューズに関するものである。
【背景技術】
【０００２】
従来、各需要家に電力を供給する屋外配線の電柱等に取り付けられて引込線を保護するために、定格５０Ａ以下の電線ヒューズが使用されてきた。しかしながら、各家庭において、生活様式がオール電化の方向に向かっている昨今は、消費電力が増加し、引込線の保護のためには電線ヒューズに代えて密閉型ケッチホルダと称されるヒューズホルダが使用されるようになっている。この密閉型ケッチホルダと称されるヒューズホルダは、不透明な筒体状のケース内に爪付きヒューズを取り付けて構成されているものである。
【発明の開示】
【発明が解決しようとする課題】
【０００３】
定格５０Ａ以下の電線ヒューズは、そのヒューズ自体を外部から視認可能なものであり、溶断しているか否かを離れた位置からも容易に知ることができるものである。しかるに、大容量対策として使用されている密閉型ケッチホルダと称されるヒューズホルダにおいては、内部に設けられたヒューズを外部から見ることができず、そのヒューズが溶断しているか否かの確認は、ケースを開いて見なければならない。特に、それぞれの需要家に対する引込線は、各需要家の敷地内に配線しなければならないため、一本の電柱に多数のヒューズホルダが取り付けられている。そのため、どのヒューズホルダのヒューズが異常であるかどうかの確認作業は非常に大変である。
【０００４】
本発明は、一本の電柱に複数個のヒューズホルダが取り付けられている状態であっても異常なヒューズホルダの特定を簡単に行うことができるようにしたヒューズホルダ及びヒューズを提供することを目的とする。
【課題を解決するための手段】
【０００５】
請求項１記載の発明は、それぞれ電線に接続されるヒューズ取付部が互いに離間して配設されたヒューズホルダ本体と、前記ヒューズ取付部の間に着脱自在に取り付けられて互いの前記電線間を接続するヒューズと、互いに離間した前記ヒューズ取付部の間に前記ヒューズと並列に接続された表示管及び抵抗体との直列回路と、前記ヒューズホルダ本体と前記ヒューズと前記直列回路とを覆うと共に前記表示管を外部から視認可能な表示窓を備えたヒューズホルダカバーとよりなるヒューズホルダである。
【０００６】
請求項２記載の発明は、請求項１記載のヒューズホルダにおいて、表示管をネオン管とした。
【０００７】
請求項３記載の発明は、請求項１記載のヒューズホルダにおいて、表示管をＬＥＤとした。
【０００８】
請求項４記載の発明は、それぞれ電線に接続されるヒューズ取付部が互いに離間して配設されたヒューズホルダ本体と、前記ヒューズ取付部の間に着脱自在に取り付けられて互いの前記電線間を溶断部で接続するとともに表示管及び抵抗体との直列回路が前記溶断部と並列に接続されたヒューズと、前記ヒューズホルダ本体と前記ヒューズとを覆うと共に前記表示管を外部から視認可能な表示窓を備えたヒューズホルダカバーとよりなるヒューズホルダである。
【０００９】
請求項５記載の発明は、離間したヒューズ取付部の間に着脱自在に取り付けられて互いの電線間を溶断部で接続するとともに表示管及び抵抗体との直列回路が前記溶断部と並列に接続されてなるヒューズである。
【発明の効果】
【００１０】
請求項１記載の発明によれば、ヒューズが溶断した異常な状態においては表示管が点灯し、この表示管の点灯はヒューズホルダカバーに設けられた表示窓を介して外部から容易に視認することができるため、一本の電柱に複数個のヒューズホルダが設置されていても異常なヒューズホルダの特定を簡単かつ確実に行うことができる。
【００１１】
請求項２記載の発明によれば、表示管がネオン管であることにより、安価に確実な表示機能を発揮させることができる。
【００１２】
請求項３記載の発明によれば、表示管がＬＥＤであることにより、昼間の太陽光の強い状態であってもその点灯を容易に確認することができる。
【００１３】
請求項４記載の発明によれば、ヒューズが溶断した異常な状態においては表示管が点灯し、この表示管の点灯はヒューズホルダカバーに設けられた表示窓を介して外部から容易に視認することができるため、一本の電柱に複数個のヒューズホルダが設置されていても異常なヒューズホルダの特定を簡単かつ確実に行うことができる。
【００１４】
請求項５記載の発明によれば、ヒューズ単体で過電流防止の本来の機能とともに異常状態を表示する機能をも持たせることができ、ヒューズホルダケース側の構造を簡易化することができる。
【発明を実施するための最良の形態】
【００１５】
本発明の第一の実施の態様を図１〜図３に基づいて説明する。まず、合成樹脂等の絶縁材料によりヒューズホルダ本体１が設けられている。このヒューズホルダ本体１は、細長い形状であり、その両端には、屋外配線のための引込線となる電線２がそれぞれ接続されている。これらの電線２が接続される部分は、導電体よりなるヒューズ取付部３であり、これらのヒューズ取付部３には、それぞれワッシャ４を介して結合ネジ５がネジ結合されている。そして、これらのヒューズ取付部３は互いに所定寸法離間しているものであり、これらのヒューズ取付部３には、一般に爪付きヒューズと称されるヒューズ６が取り付けられている。すなわち、このヒューズ６は、溶断部７と爪部８とよりなるものであり、各爪部８の切欠き部９に前記結合ネジ５を嵌め合わせつつ前記ワッシャ４と前記ヒューズ取付部３との間に前記爪部８を位置させて前記ヒューズ６は前記ヒューズ取付部３に固定されている。
【００１６】
一方、互いに離間した前記ヒューズ取付部３の間には、表示管としてのネオン管１０と抵抗体１１とよりなる直列回路１２が接続されている。前記抵抗体１１の抵抗値は、１００ｋΩである。そして、前記ネオン管１０は、前記ヒューズホルダ本体１に表面を露出させた状態で埋め込まれている。
【００１７】
ついで、前記ヒューズホルダ本体１を覆う二つのヒューズホルダカバー１３が設けられている。これらのヒューズホルダカバー１３は、前記電線２が嵌め込まれた筒状をなしており、それぞれの対向縁１４には、ネジ部が形成されて一体化及び左右に分離可能に形成されている。そして、一方の前記ヒューズホルダカバー１３には、前記ネオン管１０の位置に合うように位置決めされた透明な表示窓１５が形成されている。
【００１８】
このような構成において、ヒューズ６をヒューズ取付部３に取り付けてから左右に位置するそれぞれのヒューズホルダカバー１３を中央部の対向縁１４をネジ結合することにより結合する。このとき、表示窓１５にネオン管１０が位置あわせされるように注意する。このようにして引込線としての電線２に取り付けられるが、前述のように、引込線の配線は、各需要家の敷地内で行わなければならないため、公道等に立てられた電柱に複数個のものが集中して配設されていることが多い。
【００１９】
この状態で各需要家への電力供給がなされるが、過電流によりヒューズ６の溶断部７が溶断した場合には、直列回路１２側に電圧が印加される。この場合の電圧は、１００Ｖであるが、抵抗値が１００ｋΩの抵抗体１１によりネオン管１０に流れる電流は１ｍＡである。これにより、ネオン管１０が点灯し、表示窓１５を明るくする。そのため、かなり離れた位置からもネオン管１０の点灯状態を確認することができ、溶断したヒューズ６があるものを簡単に特定して認識することができる。そして、過電流の原因を解消してから、互いにネジ結合して一体化されているヒューズホルダカバー１３を分離してから結合ネジ５を緩めて新たなヒューズ６に取り替え、再び、ヒューズホルダカバー１３で閉止する。
【００２０】
次に、図４に基づいて本発明の第二の実施の態様を説明する。本実施の態様においては、表示体としてＬＥＤ１６を用いたものである。この場合、ＬＥＤ１６に直流電圧を印加する目的で整流回路を形成するためのダイオード１７を直列に接続している。このように、表示体してＬＥＤ１６を用いることにより、太陽光線の下でもその点灯状態を明確に認識することができ、視認性が向上する。
【００２１】
図５に示すものは、本発明の第三の実施の態様である。本実施の態様は、ヒューズ６自体に特長があるものであり、ヒューズ６の両側の爪部８の間にネオン管１０と抵抗体１１との直列回路１２を接続したものである。そのため、ヒューズホルダ本体１側には、ヒューズ取付部３が設けられているだけである。このように構成したヒューズ６をヒューズ取付部３に取り付けると、溶断部７が溶断した時に、ヒューズ６の爪部８の間に電圧が印加され、ネオン管１０が点灯する。この場合、ヒューズ６自体の価格は高くなるが、ヒューズホルダ本体１側の価格は低下し、ヒューズ６とヒューズホルダ本体１とは対で使用されるものであり、ヒューズ６の溶断が発生する確率はきわめて低いものであるため、全体的にはコストアップになることはない。
【図面の簡単な説明】
【００２２】
【図１】本発明の第一の実施の態様を示すもので、全体の正面図である。
【図２】その一部を分解した正面図である。
【図３】ヒューズと直列回路との関係を示す回路図である。
【図４】本発明の第二の実施の態様を示す回路図である。
【図５】本発明の第三の実施の態様を示すヒューズの正面図である。
【符号の説明】
【００２３】
１    ヒューズホルダ本体
２    電線
３    ヒューズ取付部
６    ヒューズ
１０    表示管（ネオン管）
１１    抵抗体
１２    直列回路
１３    ヒューズホルダカバー
１５    表示窓
【図１】
2007311086.tif 000003
【図２】
2007311086.tif 000004
【図３】
2007311086.tif 000005
【図４】
2007311086.tif 000006
【図５】
2007311086.tif 000007